(57)【要約】【課題】無線通信システムで基地局と移動局の連係遂行方法を提供する。【解決手段】本発明の方法は、サービング基地局で移動局から連係指示子（ａｓｓｏｃｉａｔｉｏｎ  ｉｎｄｉｃａｔｏｒ）を含むスキャニング要請メッセージを受信する段階を含む。また、前記方法は、前記サービング基地局から少なくとも一つの周辺基地局に、連係遂行時間を設定するために前記連係指示子を送信する段階を含み、前記周辺基地局での前記スキャニング応答メッセージの転送時間によって決定され、前記周辺基地局が非競争基盤のレンジング機会を前記移動局に提供するように予想される時間と関る前記ランデブー時間が経過した後に、前記周辺基地局とレンジング要請を転送することによって周辺基地局と連係する段階を含む。【選択図】図２
2008508830.tif 000002
【特許請求の範囲】
【請求項１】
無線通信システムにおける基地局と移動局の連係遂行方法であって、
サービング基地局に連係指示子（ａｓｓｏｃｉａｔｉｏｎ  ｉｎｄｉｃａｔｏｒ）を含むスキャニング（ｓｃａｎｎｉｎｇ）要請メッセージを転送する段階と、
ランデブー時間（ｒｅｎｄｅｚｖｏｕｓ  ｔｉｍｅ）を含む連係通知（ａｓｓｏｃｉａｔｉｏｎ  ｎｏｔｉｆｉｃａｔｉｏｎ）を周辺基地局に伝達する前記サービング基地局から、前記周辺基地局との初期レンジング（ｉｎｉｔｉａｔｉｎｇ  ｒａｎｇｉｎｇ）のための前記周辺基地局と関るランデブー時間（ｒｅｎｄｅｚｖｏｕｓ  ｔｉｍｅ）を含むスキャニング応答メッセージを受信する段階と、
前記周辺基地局での前記スキャニング応答メッセージの転送時間によって決定され、前記周辺基地局が非競争基盤のレンジング機会を前記移動局に提供するように予想される時間と関る前記ランデブー時間が経過した後に、前記周辺基地局とレンジング要請を転送することによって周辺基地局と連係する段階と、
を含む、基地局と移動局の連係遂行方法。
【請求項２】
前記連係通知（ａｓｓｏｃｉａｔｉｏｎ  ｎｏｔｉｆｉｃａｔｉｏｎ）は、多数の周辺基地局のうちの一つに転送され、それぞれの前記連係通知は、前記多数の周辺基地局のうちの一つと関る連係遂行時間を含むことを特徴とする、請求項１に記載の基地局と移動局の連係遂行方法。
【請求項３】
前記移動局は、各ランデブー時間に前記多数の周辺基地局のうちのそれぞれの一つと連係することを特徴とする、請求項２に記載の基地局と移動局の連係遂行方法。
【請求項４】
前記移動局は、既に設定された時間（ｐｒｅｄｅｔｅｒｍｉｎｅｄ  ｔｉｍｅ）の間にレンジングパラメータを保存し、前記周辺基地局から前記レンジングパラメータ（ｒａｎｇｉｎｇ  ｐａｒａｍｅｔｅｒｓ）を含むレンジング応答を受信する段階をさらに含むことを特徴とする、請求項１に記載の基地局と移動局の連係遂行方法。
【請求項５】
前記移動局はサービスレベル予測（ｓｅｒｖｉｃｅ  ｌｅｖｅｌ  ｐｒｅｄｉｃｔｉｏｎ）に基づく既に設定された時間（ｐｒｅｄｅｔｅｒｍｉｎｅｄ  ｔｉｍｅ）の間に前記レンジングパラメータを保存し、前記周辺基地局から前記レンジングパラメータと前記サービスレベル予測を含むレンジング応答を受信する段階をさらに含むことを特徴とする、請求項１に記載の基地局と移動局の連係遂行方法。
【請求項６】
前記非競争基盤のレンジングは、上りリンク（ｕｐｌｉｎｋ）転送スロットの割り当てと関ることを特徴とする、請求項１に記載の基地局と移動局の連係遂行方法。
【請求項７】
前記ランデブー時間（ｒｅｎｄｅｚｖｏｕｓ  ｔｉｍｅ）は、前記周辺基地局によって提供される多数のフレーム大きさ（ｆｒａｍｅ  ｓｉｚｅｓ）のうちの一つを表すことを特徴とする、請求項１に記載の基地局と移動局の連係遂行方法。
【請求項８】
前記スキャニング応答メッセージは、連係のために推奨された基地局を指示するための少なくとも一つの周辺基地局識別子（ｉｎｄｅｎｔｉｆｉｅｒ）をさらに含むことを特徴とする、請求項１に記載の基地局と移動局の連係遂行方法。
【請求項９】
前記連係指示子（ａｓｓｏｃｉａｔｉｏｎ  ｉｎｄｉｃａｔｏｒ）は、前記移動局の媒体接近制御（Ｍｅｄｉａ  Ａｃｃｅｓｓ  Ｃｏｎｔｒｏｌ：ＭＡＣ）アドレスを含むことを特徴とする、請求項１に記載の基地局と移動局の連係遂行方法。
【請求項１０】
無線通信システムにおける基地局と移動局との連係遂行方法であって、
サービング基地局で移動局から連係指示子（ａｓｓｏｃｉａｔｉｏｎ  ｉｎｄｉｃａｔｏｒ）を含むスキャニング要請メッセージを受信する段階と、
前記サービング基地局から少なくとも一つの周辺基地局に連係遂行時間を設定するために前記連係指示子を転送する段階と、
前記基地局から前記移動局へ前記少なくとも一つの周辺基地局と前記移動局のレンジングを初期化するために、前記少なくとも一つの周辺基地局と関る前記ランデブー時間を含むスキャニング応答メッセージを転送する段階と、
を含む、基地局と移動局の連係遂行方法。
【請求項１１】
前記連係指示子は、前記移動局の媒体接近制御（Ｍｅｄｉａ  Ａｃｃｅｓｓ  Ｃｏｎｔｒｏｌ）アドレスを含むことを特徴とする、請求項１０に記載の基地局と移動局の連係遂行方法。
【請求項１２】
前記連係指示子に対する応答として、前記少なくとも一つの周辺基地局からランデブー時間を確定する連係確定（ａｓｓｏｃｉａｔｉｏｎ  ｃｏｎｆｉｒｍａｔｉｏｎ）メッセージを受信する段階をさらに含むことを特徴とする、請求項１０に記載の基地局と移動局の連係遂行方法。
【請求項１３】
前記移動局と前記少なくとも一つの周辺基地局のうちの一つとの連係遂行は、上りリンク転送スロットの割り当てに関ることを特徴とする、請求項１０に記載の基地局と移動局の連係遂行方法。
【請求項１４】
前記連係遂行時間は、前記少なくとも一つの周辺基地局によって支援される多数のフレーム大きさ（ｆｒａｍｅ  ｓｉｚｅ）を表すことを特徴とする、請求項１０に記載の基地局と移動局の連係遂行方法。
【請求項１５】
前記スキャニング応答メッセージは、連係遂行で推奨された基地局を指示するために、少なくとも一つの周辺基地局識別子をさらに含むことを特徴とする、請求項１０に記載の基地局と移動局の連係遂行方法
【請求項１６】
無線通信システムで基地局と連係を行うように構成された移動局であって、
連係指示子を含むスキャニング要請メッセージをサービング基地局に転送する手段と、
周辺基地局にランデブー時間を含む連係通知を伝達した前記サービング基地局から、前記周辺基地局との初期レンジングのために前記周辺基地局に関る前記ランデブー時間を含むスキャニング応答メッセージを受信する手段と、
前記周辺基地局での前記スキャニング応答メッセージの転送時間によって決定され、前記周辺基地局が非競争基盤のレンジング機会を前記移動局に提供するように予想される時間と関る前記ランデブー時間が経過した後に、前記周辺基地局とのレンジング要請を転送することによって周辺基地局と連係する手段と、
を備える、移動局。
【請求項１７】
前記連係通知（ａｓｓｏｃｉａｔｉｏｎ  ｎｏｔｉｆｉｃａｔｉｏｎ）は、多数の周辺基地局のうちの一つに転送され、それぞれの前記連係通知は、前記多数の周辺基地局のうちのそれぞれの一つと関る連係遂行時間を含むことを特徴とする、請求項１６に記載の移動局
【請求項１８】
前記移動局は、各ランデブー時間に前記多数の周辺基地局のうちのそれぞれの一つと連係することを特徴とする、請求項１７に記載の移動局。
【請求項１９】
前記移動局は、既に設定された時間（ｐｒｅｄｅｔｅｒｍｉｎｅｄ  ｔｉｍｅ）の間に、前記レンジングパラメータを保存し、前記周辺基地局からレンジングパラメータ（ｒａｎｇｉｎｇ  ｐａｒａｍｅｔｅｒｓ）を含むレンジング応答を受信する手段をさらに備えることを特徴とする、請求項１６に記載の移動局。
【請求項２０】
前記移動局は、サービスレベル予測（ｓｅｒｖｉｃｅ  ｌｅｖｅｌ  ｐｒｅｄｉｃｔｉｏｎ）に基づく既に設定された時間（ｐｒｅｄｅｔｅｒｍｉｎｅｄ  ｔｉｍｅ）の間に、前記レンジングパラメータを保存し、前記周辺基地局から前記レンジングパラメータと前記サービスレベル予測を含むレンジング応答を受信する手段をさらに備えることを特徴とする、請求項１６に記載の移動局。
【請求項２１】
前記非競争基盤のレンジングは、上りリンク（ｕｐｌｉｎｋ）転送スロットの割り当てと関ることを特徴とする、請求項１６に記載の移動局。
【請求項２２】
前記ランデブー時間（ｒｅｎｄｅｚｖｏｕｓ  ｔｉｍｅ）は、前記周辺基地局によって提供される多数のフレーム大きさ（ｆｒａｍｅ  ｓｉｚｅｓ）を表すことを特徴とする、請求項１６に記載の移動局。
【請求項２３】
前記スキャニング応答メッセージは、連係のために推奨された基地局を指示するために少なくとも一つの周辺基地局識別子をさらに含むことを特徴とする、請求項１６に記載の移動局。
【請求項２４】
少なくとも一つのサービング基地局を含み、ネットワークに含まれた基地局と連係するように構成された移動局を備えたネットワークであって、
前記サービング基地局で前記移動局から連係指示子を含むスキャニング要請メッセージを受信する手段と、
ランデブー時間を設定するために前記サービング基地局から少なくとも一つの周辺基地局に連係指示子を転送する手段と、
前記基地局から前記移動局へ、前記少なくとも一つの周辺基地局と前記移動局のレンジングを初期化するために前記少なくとも一つの周辺基地局と関る前記ランデブー時間を含むスキャニング応答メッセージを転送する手段と、
を備える、ネットワーク。
【請求項２５】
前記連係指示子は、前記移動局の媒体接近制御（Ｍｅｄｉａ  Ａｃｃｅｓｓ  Ｃｏｎｔｒｏｌ）アドレスを含むことを特徴とする、請求項２４に記載のネットワーク。
【請求項２６】
前記連係指示子に対する応答として、前記少なくとも一つの周辺基地局からランデブー時間を確定する連係確定（ａｓｓｏｃｉａｔｉｏｎ  ｃｏｎｆｉｒｍａｔｉｏｎ）メッセージを受信する手段をさらに備えることを特徴とする、請求項２４に記載のネットワーク。
【請求項２７】
前記移動局の前記少なくとも一つの周辺基地局のうちの一つへの連係遂行は、上りリンク転送スロットの割り当てと関っていることを特徴とする、請求項２４に記載のネットワーク。
【請求項２８】
前記連係遂行時間は、前記少なくとも一つの周辺基地局によって支援される多数のフレーム大きさ（ｆｒａｍｅ  ｓｉｚｅ）を表すことを特徴とする、請求項２４に記載のネットワーク。
【請求項２９】
前記スキャニング応答時間は、連係遂行のために推奨された基地局を指示するために少なくとも一つの周辺基地局識別子をさらに含むことを特徴とする、請求項２４に記載のネットワーク。
【発明の詳細な説明】
【技術分野】
【０００１】
本発明は、無線接続システムに係り、より詳細には、無線接続システムにおけるハンドオーバーに関する。
【背景技術】
【０００２】
無線接続システムにおいて移動局がネットワークに初めて登録するか、または、ハンドオーバー時に新しい基地局に再登録するためには、基地局と上りリンク同期を合わせ、且つ、管理連結ＩＤを受け取らなければならない。これを初期レンジング（Ｉｎｉｔｉａｌ  Ｒａｎｇｉｎｇ）という。また、前記移動局は、ハンドオーバーを行う前に最適のハンドオーバー対象基地局を探すために周辺基地局（Ｎｅｉｇｈｂｏｒ  Ｂａｓｅ−Ｓｔａｔｉｏｎ）から信号を受信して信号品質を測定する。この２番目の過程をスキャニング（Ｓｃａｎｎｉｎｇ）という。
【０００３】
前記移動局はスキャニングを行った後、一定水準以上の信号品質を有する基地局が表れると、サービング基地局にハンドオーバーを要請する。そして、前記サービング基地局からハンドオーバー応答信号を受信すると、実際ハンドオーバー対象基地局に再登録するためにハンドオーバー対象基地局と初期レンジングを行う。
【０００４】
前記移動局は実際ハンドオーバーを行う前に、ハンドオーバー時間を短縮するために、スキャニング過程で周辺基地局の信号品質を測定し、初期レンジングをあらかじめ行うことによって、実際ハンドオーバー時にレンジングパラメーターを再使用する。このような方法を連係（Ａｓｓｏｃｉａｔｉｏｎ）またはプレハンドオーバー（ｐｒｅ−ｈａｎｄｏｖｅｒ）という。
【０００５】
図１は、従来技術による連係手続きを示す図である。
【０００６】
図１を参照すると、サービング基地局ＢＳ１は、周辺基地局ＢＳ２，ＢＳ３のチャネル情報をＭＡＣ管理メッセージ（例えば、ＭＯＢ−ＮＢＲ−ＡＤＶ）に載せて周期的に移動局（ＭＳＳ）に転送する。このとき、前記ＭＡＣ管理メッセージＭＯＢ−ＮＢＲ−ＡＤＶは、放送（Ｂｒｏａｄｃａｓｔｉｎｇ）の形態で転送される。
【０００７】
移動局は、前記ＭＡＣ管理メッセージＭＯＢ−ＮＢＲ−ＡＤＶを受信すると、スキャニング期間（Ｓｃａｎｎｉｎｇ  ｄｕｒａｔｉｏｎ）情報を含むスキャニング要請メッセージＭＯＢ−ＳＣＮ−ＲＥＱを前記サービング基地局ＢＳ１に伝達する。そして、スキャニング要請メッセージＭＯＢ−ＳＣＮ−ＲＥＱを受信したサービング基地局は、スキャニングランデブー時間（Ｓｃａｎｎｉｎｇ  ｒｅｎｄｅｚｖｏｕｓ  ｔｉｍｅ）及びスキャニング期間に関する情報をスキャニング応答メッセージＭＯＢ−ＳＣＮ−ＲＳＰに載せて、前記移動局に伝達する。
【０００８】
その後、スキャニングランデブー時間になると、前記移動局は周辺基地局と下りリンク同期を合わせ、信号品質を測定することによって、スキャニングを行う。このスキャニング期間に、移動局は各基地局と初期レンジングを行いながら連係をなす。この初期レンジングは、競争基盤（ｃｏｎｔｅｎｔｉｏｎ  ｂａｓｅｄ）によって無線資源が割り当てられてなることから、長い時間を必要とする。
【０００９】
スキャニング期間が終わると、移動局は周辺基地局との連結を切り、サービング基地局に上りリンク及び下りリンク同期を合わせることによって、サービング基地局とのデータ送受信を可能にする。
【発明の開示】
【発明が解決しようとする課題】
【００１０】
しかしながら、以上の従来技術による連係手続きには、様々な問題点があった。第一に、連係がスキャニング過程で行われるので、どの基地局と連係を行うかに対する具体的な基準がない。この理由から、移動局は周辺の全ての基地局と連係を行うことになり、よって、ハンドオーバーに長い時間がかかってしまう。第二に、従来技術による連係は、競争を基盤とする初期レンジングを行うため、連係遂行時間が長くなる可能性があり、また、スキャニング要請時にスキャニング期間を設定するのに難がある。すなわち、スキャニング期間を短くすると該当期間内に連係が行えない可能性があり、スキャニング期間を過度に長くすると、その期間中に該当移動局に伝達されるべき下りトラフィックが基地局に続けて留まるという問題につながる。しかも、これらの問題点は無線資源を無駄使いする原因となる。
【００１１】
したがって、本発明は、上記従来技術の一つ以上の問題点を実質的に解決するための無線接続システムのハンドオーバー期間中の連係遂行に関するものである。
【００１２】
本発明の目的は、バックボーンメッセージ内のＭＡＣ管理メッセージを定義することによって、ハンドオーバー時間を短縮する連係遂行方法を提供することにある
本発明の他の目的は、連係遂行中にバックボーンメッセージの転送過程で発生する遅延時間を補償することによって連係対象となる基地局が資源を割り当てる時間に移動局がレンジングを行うことができる連係方法を提供することにある。
【課題を解決するための手段】
【００１３】
上記目的を達成するために、本発明の一実施例は、無線通信システムで基地局と移動局の連係遂行方法であって、サービング基地局に連係指示子（ａｓｓｏｃｉａｔｉｏｎ  ｉｎｄｉｃａｔｏｒ）を含むスキャニング（ｓｃａｎｎｉｎｇ）要請メッセージを送信する段階を含む。また、この方法は、ランデブー時間（ｒｅｎｄｅｚｖｏｕｓ  ｔｉｍｅ）を含む連係通知（ａｓｓｏｃｉａｔｉｏｎ  ｎｏｔｉｆｉｃａｔｉｏｎ）を周辺基地局に伝達する前記サービング基地局から、前記周辺基地局との初期レンジング（ｉｎｉｔｉａｔｉｎｇ  ｒａｎｇｉｎｇ）のための前記周辺基地局に関るランデブー時間（ｒｅｎｄｅｚｖｏｕｓ  ｔｉｍｅ）を含むスキャニング応答メッセージを受信する段階を含む。また、前記周辺基地局からの前記スキャニング応答メッセージの送信時間によって決定され、前記周辺基地局が非競争基盤のレンジング機会を前記移動局に提供するように予想される時間と関るランデブー時間が経過した後に、前記周辺基地局とのレンジング要請（ｒａｎｇｉｎｇ  ｒｅｑｕｅｓｔ）を送信することによって周辺基地局と連係する段階を含む基地局と移動局との連係遂行方法とされている。
【００１４】
前記連係通知（ａｓｓｏｃｉａｔｉｏｎ  ｎｏｔｉｆｉｃａｔｉｏｎ）は、多数の周辺基地局のうちの一つに送信され、それぞれの前記連係通知は、前記多数の周辺基地局のうちのそれぞれの一つと関る連係遂行時間を含む。前記移動局は、各ランデブー時間に、前記多数の周辺基地局のうちのそれぞれの一つと連係することを特徴とする。
【００１５】
前記基地局と移動局の連係遂行方法は、前記周辺基地局から前記レンジングパラメータを含むレンジング応答を受信する段階をさらに含むことを特徴とし、前記移動局は、既に設定された時間（ｐｒｅｄｅｔｅｒｍｉｎｅｄ  ｔｉｍｅ）の間に、レンジングパラメータ（ｒａｎｇｉｎｇ  ｐａｒａｍｅｔｅｒｓ）を保存することを特徴とする。この方法は、前記周辺基地局から前記レンジングパラメータと前記サービスレベル予測を含むレンジング応答を受信する段階をさらに含み、前記移動局は、サービスレベル予測（ｓｅｒｖｉｃｅ  ｌｅｖｅｌ  ｐｒｅｄｉｃｔｉｏｎ）に基づく既に設定された時間の間に、前記レンジングパラメータを保存することを特徴とする。
【００１６】
前記非競争基盤のレンジングは、上りリンク（ｕｐｌｉｎｋ）送信スロットの割り当てと連係されることができる。前記ランデブー時間（ｒｅｎｄｅｚｖｏｕｓ  ｔｉｍｅ）は、前記周辺基地局によって提供される多数のフレーム大きさ（ｆｒａｍｅ  ｓｉｚｅｓ）のうちの一つを表すことができる。前記スキャニング応答メッセージは、連係のために推奨された基地局を指示するために少なくとも一つの周辺基地局識別子をさらに含むことを特徴とする。前記連係指示子（ａｓｓｏｃｉａｔｉｏｎ  ｉｎｄｉｃａｔｏｒ）は、前記移動局の媒体接続制御（Ｍｅｄｉａ  Ａｃｃｅｓｓ  Ｃｏｎｔｒｏｌ；ＭＡＣ）アドレスを含むことを特徴とする。
【００１７】
他の実施例として、無線通信システムにおいて基地局と移動局との連係遂行方法は、サービング基地局で移動局から連係指示子（ａｓｓｏｃｉａｔｉｏｎ  ｉｎｄｉｃａｔｏｒ）を含むスキャニング要請メッセージを受信する段階を含む。また、前記方法は、前記サービング基地局から少なくとも一つの周辺基地局に、連係遂行時間を設定するために前記連係指示子を送信する段階を含み、前記基地局から前記移動局に、前記少なくとも一つの周辺基地局と前記移動局のレンジングを初期化するために、前記少なくとも一つの周辺基地局と関る前記ランデブー時間を含むスキャニング応答メッセージを転送する段階を含む。
【００１８】
前記方法は、前記連係指示子に対する応答として、前記少なくとも一つの周辺基地局からランデブー時間を確定する連係確定（ａｓｓｏｃｉａｔｉｏｎ  ｃｏｎｆｉｒｍａｔｉｏｎ）メッセージを受信する段階をさらに含むことを特徴とする。前記移動局と前記少なくとも一つの周辺基地局のうちの一つとの連係遂行は、上りリンク送信スロットの割り当てと関っている。前記連係遂行時間は、前記少なくとも一つの周辺基地局によって支援される多数のフレーム大きさ（ｆｒａｍｅ  ｓｉｚｅ）を表す。前記スキャニング応答メッセージは、連係遂行において推奨された基地局を指示するために少なくとも一つの周辺基地局識別子（ｉｄｅｎｔｉｆｉｅｒ）をさらに含むことができる。
【００１９】
前述した点、そして本発明の他の目的、特徴、様相そして特徴は、添付図面と共に以下の本発明の詳細な説明からより明確になろう。上記の概略説明と以下の詳細説明は単純に本発明を例示するもので、本発明の範囲は、添付の特許請求の範囲における説明によって定められるべきである。
【発明の効果】
【００２０】
本発明は、広帯域無線接続システムなどの無線通信システムに適用されることができる。
【発明を実施するための最良の形態】
【００２１】
以下、添付の図面を参照しつつ、本発明の好適な実施例について具体的に説明する。ただし、図面中、類似または同一の構成要素については可能な限り同一の参照番号を共通使用するものとする。
【００２２】
基地局（ｂａｓｅ  ｓｔａｔｉｏｎ；ＢＳ）は、測定された信号の品質を基盤として周辺基地局と考慮されることができる。連係に関する情報は、連係ランデブーフレーム（ａｓｓｏｃｉａｔｉｏｎ  ｆｒａｍｅ）と連係遂行期間（ａｓｓｏｃｉａｔｉｏｎ  ｄｕｒａｔｉｏｎ）及び連係要請受諾の可否を表す情報を含むことができる。連係要請は、サービング基地局から基地局に連係要請を通知することと、前記基地局で連係に関る情報を受信することを含む。前記基地局は、移動局が要求するＱｏＳ（ｑｕａｌｉｔｙ  ｏｆ  ｓｅｒｖｉｃｅ）レベルまたは移動局に提供されたＱｏＳレベルに基盤して前記連係要請を受け入れる否かを決定できる。前記決定の結果は、バックボーンメッセージ（ｂａｃｋｂｏｎｅ  ｍｅｓｓａｇｅ）に含まれ、また、前記サービング基地局に転送される。前記基地局が前記連係要請を受け入れるか否かを決定するとき、前記バックボーンメッセージは連係ランデブーフレームに関る情報を含むことができる。前記連係ランデブーフレームが始まるとき、前記特定基地局は、好適に上りリンク無線資源（例えば、ｕｐｌｉｎｋ  ｒａｄｉｏ  ｒｅｓｏｕｒｃｅｓ）を前記移動局に割り当て、前記移動局が連係のためのレンジング要請を前記基地局に転送できるようにする。前記基地局は好適に前記上りリンク無線資源の割り当て後、既に設定された時間に移動局からの前記レンジング要請を受信できないと、前記割り当てられた上りリンク無線資源を解除する。
【００２３】
他の実施例として、移動局が非競争（ｎｏｎ−ｃｏｎｔｅｎｔｉｏｎ）基盤の初期レンジングを行うように許諾された場合、前記移動局は周辺基地局が特定レベル以上の信号品質を持つ場合に限って連係を行う。
【００２４】
サービング基地局がバックボーンメッセージを通じて連係ターゲット基地局（ａｓｓｏｃｉａｔｉｏｎ  ｔａｒｇｅｔ  ｂａｓｅ  ｓｔａｔｉｏｎ）に、移動局が連係遂行をすることを知らせると、前記連係ターゲット基地局は、該当の移動局に対する上りリンク無線資源（例えば、上りリンクレンジングスロット）をあらかじめ割り当てる。これによって、移動端末は非競争基盤の初期レンジングを行うことができる。
【００２５】
図２は、本発明の一実施形態による連係手続きを示す流れ図である。
【００２６】
図２を参照すると、サービング基地局ＢＳ１は、周辺基地局のチャネル情報を含めたＭＡＣ（例えば、ＭＯＢ−ＮＢＲ−ＡＤＶ）管理メッセージを周期的に移動局ＭＳＳに伝達する（Ｓ１０）。このとき、前記ＭＯＢ−ＮＢＲ−ＡＤＶメッセージは放送の形態で伝達される。
【００２７】
その後、前記ＭＯＢ−ＮＢＲ−ＡＤＶメッセージを受信すると、前記移動局は、スキャニング要請メッセージ（例えば、ＭＯＢ−ＳＣＮ−ＲＥＱ）を前記サービング基地局ＢＳ１に伝達してスキャニングを要請する。このサービング基地局ＢＳ１は、スキャニングを許可するためにスキャニング応答メッセージ（例えば、ＭＯＢ−ＳＣＮ−ＲＳＰ）を前記移動局に伝達する（Ｓ２０、Ｓ３０）。前記スキャニングを始めると、前記移動局は、前記スキャニング期間（ｓｃａｎｎｉｎｇ  ｄｕｒａｔｉｏｎ；Ｎ  ｆｒａｍｅｓ）に、前記周辺基地局ＢＳ２，ＢＳ３から信号を受信して前記周辺基地局のそれぞれの信号品質を測定する（Ｓ４０）。前記スキャニング期間（例えば、Ｎ  ｆｒａｍｅｓ）には、前記連係は行われない。
【００２８】
前記スキャニングが完了すると、スキャニング結果に基づき、前記移動局は、一定水準以上の信号品質を提供できる周辺基地局を決定することができる。前記移動局は、前記周辺基地局との連係を要請するために前記サービング基地局ＢＳ１に連係要請ＭＡＣ管理メッセージ（例えば、ＭＯＢ−ＡＳＣ−ＲＥＱ）を転送することができる（Ｓ５０）。前記移動局は、周辺基地局の現在資源利用状態に基づいて基地局を定めることができる。
【００２９】
前記サービング基地局は、前記ＭＯＢ−ＡＳＣ−ＲＥＱメッセージを受信し、前記
移動局によって要請されたＱｏＳレベル情報をバックボーンメッセージ（例えば、ＡＳＣ−Ｎｏｔｉｆｉｃａｔｉｏｎ）に含めて前記周辺基地局に伝達することができる（Ｓ６０）。
【００３０】
前記周辺基地局は、バックボーンメッセージを通じて前記移動局から前記連係要請を受信し、前記ＱｏＳレベル情報に基づいて前記連係を受けるか否かを決定し、該決定された連係受諾情報と連係ランデブーフレーム情報をバックボーンメッセージ（例えば、ＡＳＣ−Ｃｏｎｆｉｒｍ）に含め、このＡＳＣ−Ｃｏｎｆｉｒｍメッセージを前記サービング基地局に伝達する（Ｓ７０）。前記連係ランデブーフレームは、移動局が連係のために上りリンクレンジング要請メッセージを転送できるように、該当の移動局に上りリンクスロットを割り当てる時間である。
【００３１】
前記サービング基地局は、前記バックボーンメッセージ（例えば、ＡＳＣ−Ｃｏｎｆｉｒｍ）を受信し、前記連係ランデブーフレーム、前記連係期間（例えば、前記サービング基地局が下りリンクデータをバッファーリングする期間）情報、及び前記バックボーンメッセージに含まれた前記連係を受け入れるか否かに関する情報を連係応答メッセージ（例えば、ＭＯＢ−ＡＳＣ−ＲＳＰ）に含めることができる。前記基地局は、前記移動局に前記ＭＯＢ−ＡＳＣ−ＲＳＰメッセージを伝達する（Ｓ８０）。
【００３２】
前記連係ランデブーフレーム開始後に、前記移動局は、初期レンジング要求メッセージを、前記割り当てられた上りリンクスロットを通じて前記周辺基地局に伝達する（Ｓ９０）。前記初期レンジング要求メッセージに対する初期レンジング応答メッセージを受信するとき（Ｓ１００）、前記移動局は、レンジングパラメータ（例えば、上りリンク同期要求及び接続管理ＩＤ割り当て）を獲得する。前記周辺基地局は、既に設定された期間（ｐｒｅｄｅｔｅｒｍｉｎｅｄ  ｐｅｒｉｏｄ  ｏｆ  ｔｉｍｅ）、前記上りリンクスロットを割り当て、資源の無駄使いを防ぐために前記あらかじめ指定された期間に移動局から前記初期レンジング要求を受信しないと、前記割り当てられたスロットを取り消す。
【００３３】
前記移動局は、前記既に設定された期間、前記連係によって得たレンジングパラメータを維持する（例えば、連係エージングタイマー（ａｓｓｏｃｉａｔｉｏｎ  ａｇｉｎｇ  ｔｉｍｅｒ）利用）。前記既に設定された時間（例えば、前記連係エージングタイマー満了前）に、前記周辺基地局へのハンドオーバーを行う際、ハンドオーバーのための時間は、前記維持されたレンジングパラメータを用いてネットワーク登録を行うことによって短縮する。
【００３４】
図３は、本発明の他の実施形態による連係方法の流れ図である。図３を参照すると、この方法は、少なくとも２つの周辺基地局が一定レベル以上の信号品質を提供できるものとしてスキャニングによって定められる時、周辺基地局間に連係を行うために説明されている。
【００３５】
図３に示すスキャニング過程は（Ｓ１１０〜Ｓ１４０）、図２におけると同様なので、その説明は省略する。その後、図２を参照すると、前記移動局は、連係要請ＭＡＣ管理メッセージＭＯＢ−ＡＳＣ−ＲＥＱを、前記移動局が前記２つの周辺基地局ＢＳ２，ＢＳ３との連係を要請できるように、前記サービング基地局ＢＳ１に伝達する（Ｓ１５０）。
【００３６】
前記連係要請ＭＡＣ管理メッセージ（例えば、ＭＯＢ−ＡＳＣ−ＲＥＱ）を受信したサービング基地局は、前記移動局と連係を行う時間情報（ｓｔａｒｔ  ｆｒａｍｅ）及び連係期間（ａｓｓｏｃｉａｔｉｏｎ  ｄｕｒａｔｉｏｎ）をバックボーンメッセージ（例えば、ＡＳＣ−Ｎｏｔｉｆｉｃａｔｉｏｎ）に載せて、該当の周辺基地局に転送する（Ｓ１６０，Ｓ１７０）。同図では、ＢＳ２については前記移動局と連係を行う前記ランデブーフレームを‘Ｋ＋α’と設定し、ＢＳ３については‘Ｌ＋β’と設定した。
【００３７】
なお、前記サービング基地局は、連係ランデブーフレームと前記それぞれの周辺基地局に属する連係期間と関る情報を、連係応答メッセージＭＯＢ−ＡＳＣ−ＲＳＰに含めることができる（Ｓ１８０）。
【００３８】
図３において、ＢＳ２との前記ランデブーフレーム（ｒｅｎｄｅｚｖｏｕｓ  ｆｒａｍｅ）はＫと設定され、ＢＳ３との前記ランデブーフレームはＬと設定され、前記連係期間（ａｓｓｏｃｉａｔｉｏｎ  ｄｕｒａｔｉｏｎ）はＭと設定される。前記各周辺基地局に割り当てられた連係開始時間と前記移動局に割り当てられた連係期間フレームは、α、βの違いを有することがある。これは、前記サービス基地局が前記各周辺基地局と前記移動局に前記連係ランデブーフレームを割り当てるメッセージを転送する時間の違いに起因する。したがって、メッセージ転送時間が同一であれば、α、βは０となる。
【００３９】
以降、ＢＳ１及びＢＳ２との連係ランデブーフレームになると、前記移動局は、該当の周辺基地局から上りリンクスロットが割り当てられ、該割り当てられた上りリンクスロットを通じて初期レンジング要求メッセージ（Ｉｎｉｔｉａｌ  Ｒａｎｇｉｎｇ  Ｒｅｑｕｅｓｔ  ｍｅｓｓａｇｅ）を転送する（Ｓ１９０，Ｓ２１０）。そして、初期レンジング要求に対する初期応答メッセージ（Ｉｎｉｔｉａｌ  Ｒａｎｇｉｎｇ  Ｒｅｓｐｏｎｓｅ  ｍｅｓｓａｇｅ）を受信すると（Ｓ２００，Ｓ２２０）、前記移動局は、レンジングパラメータ（例えば、上りリンク同期獲得及び管理連結ＩＤ割り当て）を得る。このとき、該当の周辺基地局は、前記移動局が周辺基地局との連係を通じて獲得したレンジングパラメータがいつまで有効かを表す連係エージング時間（Ａｓｓｏｃｉａｔｉｏｎ  Ａｇｉｎｇ  Ｔｉｍｅ）パラメータ値を、レンジング応答メッセージに含めて移動局に知らせることができる。また、前記移動局は、連係維持時間値を基地局から受けず、あらかじめ定義された値を使用することができる。前記周辺基地局は、既に設定された期間（ｐｒｅｄｅｔｅｒｍｉｎｅｄ  ｐｅｒｉｏｄ  ｔｉｍｅ）にのみ上りリンクスロットを移動局に割り当て、その所定時間に移動局から前記初期レンジング要求メッセージ（Ｉｎｉｔｉａｌ  Ｒａｎｇｉｎｇ  Ｒｅｑｕｅｓｔ）を受信しない場合、割り当てられたスロットを解除することによって資源の無駄使いをなくす。
【００４０】
前記移動局は、連係によって得られたレンジングパラメータを、既に設定された時間（例えば、連係エージングタイマー（（Ａｓｓｏｃｉａｔｉｏｎ  ａｇｉｎｇ  ｔｉｍｅｒ）利用）保有し、一定時間内（例えば、連係エージングタイマー満了前）に該当の周辺基地局にハンドオーバー時に、保有したレンジングパラメータを用いてネットワーク登録を行うことによってハンドオーバー時間を短縮できる。
【００４１】
図４は、本発明のさらに他の実施形態による連係手続きを示す流れ図である。
【００４２】
図４では、移動局が３つの周囲周辺基地局（例えば、ＢＳ１、ＢＳ２及びＢＳ３）と資源の割り当てを通じた非競争基盤の連係を行うとき、周辺基地局との連係過程を示している。まず、サービング基地局は、前記移動局から連係ターゲット基地局の識別子を含む連係要請メッセージ（例えば、ＭＯＢ−ＡＳＣ−ＲＥＱ）を受信し（Ｓ１０）、それぞれの前記基地局に前記移動局の識別子、連係期間、予想ランデブー時間、及び前記移動局のＱｏＳ情報が含まれたバックボーンメッセージを転送する（Ｓ２０）。
【００４３】
前記バックボーンメッセージを受けた前記基地局は、前記移動局によって要請された前記ＱｏＳ情報と、前記連係期間、及び前記サービング基地局によって設定された予想ランデブー時間を許可できる。前記サービング基地局は、例えば、前記バックボーンメッセージ（例えば、ＡＳＣ−Ｃｏｎｆｉｒｍａｔｉｏｎ）の動作コードを０と設定し、前記サービング基地局に前記バックボーンメッセージを転送するもので、前記基地局によって前記許可の通知を受けることができる（Ｓ３０）。もし、連係要請を受けた周辺基地局が、これを許容できない場合なら、サービング基地局にバックボーンメッセージ（例えば、ＡＳＣ−Ｃｏｎｆｉｒｍａｔｉｏｎ）の動作コードを１と設定して伝達することによってその事実を前記サービング基地局に知らせることができる。
【００４４】
前記バックボーンメッセージのやりとり過程（Ｓ２０、Ｓ３０）において遅延（ｄｅｌａｙ）が発生する場合、周辺基地局が連係のために資源を割り当てる時点と実際移動局が連係を試みる時点間に違いが発生することがあり、この場合、本発明の連係方法の効率が低下する。
【００４５】
この問題を解決するために、各基地局は、バックボーンメッセージヘッダに共通して含まれているタイムスタンプ（例えば、Ｔｉｍｅ  Ｓｔａｍｐ）フィールドを使用する。バックボーンメッセージのヘッダに含まれるタイムスタンプフィールドは、該当のメッセージを転送する時の時間を意味する。したがって、それぞれの全ての基地局と同期を合わせるために、全ての基地局は同一時間に同一大きさのタイムスタンプを有することが好ましい。
【００４６】
前記サービング基地局が、周辺基地局の一つであるＢＳ１に、以降Ｔ１という時間後に移動局が連係を行うということを知らせるバックボーンメッセージを伝達した場合、前記ＢＳ１は、該当のバックボーンメッセージに在るタイムスタンプフィールドを通じて、当該バックボーンメッセージが伝達される過程で発生した遅延を測定できる。この遅延をフレーム単位に換算すると、‘Ｄ１’値が得られる。前記ＢＳ１は、Ｔ１−Ｄ１フレーム後に連係のための資源を割り当てる。
【００４７】
前記周辺基地局からバックボーンメッセージ（例えば、ＡＳＣ−Ｃｏｎｆｉｒｍａｔｉｏｎ）を受けた前記サービング基地局は、連係を許容する周辺基地局に、該当する周辺基地局の識別子と連係遂行時間を含む連係応答メッセージ（例えば、ＭＯＢ−ＡＳＣ−ＲＳＰ）を伝達する（Ｓ４０）。
【００４８】
前記連係遂行時間（例えば、ａｓｓｏｃｉａｔｉｏｎ  ｄｕｒａｔｉｏｎ）を決定するに当たり、前記サービング基地局は、周辺基地局とのバックボーンメッセージのやりとり過程で発生した遅延の総長さを測定する。これをフレーム単位に換算した値をΔとすれば、ＢＳ１と移動局が連係を行う時間は、最終的にＴ1−Δとなる。
【００４９】
前記移動局は、ＭＯＢ−ＡＳＣ−ＲＳＰメッセージに含まれている周辺基地局に対して、各連係遂行時間に該当するフレーム以降に連係のためのレンジング手続きを行う（Ｓ５０）。前記周辺基地局は、該当移動局が割り当てられた資源を通じて連係のためのレンジングしようと試みない場合に、既に設定された時間にのみ資源割り当てを維持するが、前記既に設定された時間は、前記サービング基地局から受信したバックボーンメッセージ（例えば、ＡＳＣ−Ｎｏｔｉｆｉｃａｔｉｏｎ）に含まれた連係遂行期間が終了する値を超えないことが好ましい。
【００５０】
前記連係遂行期間を算出する過程においても、タイムスタンプ値に基づく遅延補償方法を適用することができる。
【００５１】
下記［表１］に、移動局が基地局に連係を要請するＭＡＣ管理メッセージ（例えば、ＭＯＢ−ＡＳＣ−ＲＥＱ）の一例を示す。
【００５２】
【表１】
2008508830.tif 000003
下記［表２］に、前記基地局が前記移動局に伝達する前記連係応答メッセージ（例えば、ＭＯＢ−ＡＳＣ−ＲＳＰ）を示す。
【００５３】
【表２】
2008508830.tif 000004
前記移動局は、［表１］のような連係要請メッセージ（例えば、ＭＯＢ−ＡＳＣ−ＲＥＱ）を通じてサービング基地局に一つ以上の周辺基地局との連係を要請し、前記［表２］のような連係応答メッセージ（例えば、ＭＯＢ−ＡＳＣ−ＲＳＰ）を通じて連係遂行の可否をサービス基地局から受ける。
【００５４】
下記［表３］には、連係要請メッセージ（例えば、ＭＯＢ−ＡＳＣ−ＲＥＱ）を受けた前記サービング基地局が、周辺基地局に移動局の連係を知らせるバックボーンメッセージ（例えば、ＡＳＣ−Ｎｏｔｉｆｉｃａｔｉｏｎ）の一例を示す。
【００５５】
【表３】
2008508830.tif 000005
下記［表４］は、連係通知（ａｓｓｏｃｉａｔｉｏｎ  ｎｏｔｉｆｉｃａｔｉｏｎ）メッセージを受けた前記周辺基地局が、連係受諾可否を前記サービング基地局に知らせるために伝達する前記バックボーンメッセージ（例えば、ＡＳＣ-Ｃｏｎｆｏｒｍ）の一例である。
【００５６】
【表４】
2008508830.tif 000006
下記［表５］には、［表３］と［表４］に現れた前記バックボーンメッセージに適用されうる共通メッセージヘッダの一例を示す。
【００５７】
【表５】
2008508830.tif 000007
前記周辺基地局は、前記移動局が非競争上りリンク（ｕｐｌｉｎｋ）スロットを通じて上りリンクレンジング要請を転送できるようにするための上りリンク無線資源を割り当てることができる。
【００５８】
本発明のさらに他の実施例として、無線通信システムで基地局と移動局の連係遂行方法において、この方法は、サービング基地局に連係指示子（ａｓｓｏｃｉａｔｉｏｎ  ｉｎｄｉｃａｔｏｒ）を含むスキャニング（ｓｃａｎｎｉｎｇ）要請メッセージを送信する段階を含む。また、この方法は、ランデブー時間（ｒｅｎｄｅｚｖｏｕｓ  ｔｉｍｅ）を含む連係通知（ａｓｓｏｃｉａｔｉｏｎ  ｎｏｔｉｆｉｃａｔｉｏｎ）を周辺基地局に伝達する前記サービング基地局から、前記周辺基地局との初期レンジング（ｉｎｉｔｉａｔｉｎｇ  ｒａｎｇｉｎｇ）のための前記周辺基地局に関るランデブー時間（ｒｅｎｄｅｚｖｏｕｓ  ｔｉｍｅ）を含むスキャニング応答メッセージを受信する段階を含む。また、前記周辺基地局からの前記スキャニング応答メッセージの送信時間によって決定されるランデブー時間が経過した後に、前記ランデブー時間は、前記周辺基地局が非競争基盤のレンジング機会を前記移動局に提供するように予想される時間と関り、レンジング要請（ｒａｎｇｉｎｇ  ｒｅｑｕｅｓｔ）を送信することによって前記周辺基地局と連係する段階を含む基地局と移動局との連係遂行方法とされている。
【００５９】
前記連係通知（ａｓｓｏｃｉａｔｉｏｎ  ｎｏｔｉｆｉｃａｔｉｏｎ）は、多数の周辺基地局のうちの一つに送信され、それぞれの前記連係通知は、前記多数の周辺基地局のうちのそれぞれの一つと関る連係遂行時間を含む。前記移動局は、各ランデブー時間に、前記多数の周辺基地局のうちのそれぞれの一つと連係することを特徴とする。前記基地局と移動局の連係遂行方法は、前記周辺基地局から前記レンジングパラメータを含むレンジング応答を受信する段階をさらに含むことを特徴とし、前記移動局は、既に設定された時間（ｐｒｅｄｅｔｅｒｍｉｎｅｄ  ｔｉｍｅ）、レンジングパラメータ（ｒａｎｇｉｎｇ  ｐａｒａｍｅｔｅｒｓ）を保存することを特徴とする。この方法は、前記周辺基地局から前記レンジングパラメータと前記サービスレベル予測を含むレンジング応答を受信する段階をさらに含み、前記移動局は、サービスレベル予測（ｓｅｒｖｉｃｅ  ｌｅｖｅｌ  ｐｒｅｄｉｃｔｉｏｎ）に基づく既に設定された時間、前記レンジングパラメータを保存することを特徴とする。前記非競争基盤のレンジングは、上りリンク（ｕｐｌｉｎｋ）送信スロットの割り当てと連係されることができる。前記ランデブー時間（ｒｅｎｄｅｚｖｏｕｓ  ｔｉｍｅ）は、前記周辺基地局によって提供される多数のフレーム大きさ（ｆｒａｍｅ  ｓｉｚｅｓ）のうちの一つを表すことができる。前記スキャニング応答メッセージは、連係のために推奨された基地局を指示するために少なくとも一つの周辺基地局識別子をさらに含むことを特徴とする。前記連係指示子（ａｓｓｏｃｉａｔｉｏｎ  ｉｎｄｉｃａｔｏｒ）は、前記移動局の媒体接続制御（Ｍｅｄｉａ  Ａｃｃｅｓｓ  Ｃｏｎｔｒｏｌ；ＭＡＣ）アドレスを含むことを特徴とする。
【００６０】
一実施例として、無線通信システムにおいて基地局と移動局との連係遂行方法は、サービング基地局で移動局から連係指示子（ａｓｓｏｃｉａｔｉｏｎ  ｉｎｄｉｃａｔｏｒ）を含むスキャニング要請メッセージを受信する段階を含む。また、前記方法は、前記サービング基地局から少なくとも一つの周辺基地局に、連係遂行時間を設定するために前記連係指示子を送信する段階を含み、前記移動局と前記少なくとも一つの周辺基地局との初期レンジングのために、前記少なくとも一つの周辺基地局と関る連係遂行時間（ｒｅｎｄｅｚｖｏｕｓ  ｔｉｍｅ）を含むスキャニング応答メッセージを、前記サービング基地局から前記移動局へ転送する段階を含む。
【００６１】
前記方法は、前記連係指示子に対する応答として、前記少なくとも一つの周辺基地局からランデブー時間を確定する連係確定（ａｓｓｏｃｉａｔｉｏｎ  ｃｏｎｆｉｒｍａｔｉｏｎ）メッセージを受信する段階をさらに含むことを特徴とする。前記移動局と前記少なくとも一つの周辺基地局のうちの一つとの連係遂行は、上りリンク送信スロットの割り当てと関っている。前記連係遂行時間は、前記少なくとも一つの周辺基地局によって支援される多数のフレーム大きさ（ｆｒａｍｅ  ｓｉｚｅ）を表す。前記スキャニング応答メッセージは、連係遂行において推奨された基地局を指示するために少なくとも一つの周辺基地局識別子（ｉｄｅｎｔｉｆｉｅｒ）をさらに含むことができる。
【００６２】
本発明は、移動局が一定水準以上の信号品質を提供する基地局のみと連係を行うようにするため、余計な連係の遂行を防止可能である。本発明は、移動局にＱｏＳ提供が不可能な基地局の場合、サービング基地局に連係が不必要であるということをあらかじめ知らせ、上りリンク無線資源を割り当てないようにするため、無線資源の無駄使いを防ぐことができる。
【００６３】
また、本発明は、連係手続きを行う移動局に上りリンクレンジング要請メッセージを伝達できる上りリンクスロットを割り当て、その時間を知らせるので、連係遂行にかかる時間を短縮し、かつ、上りリンク無線資源の效率利用を可能にする。
【００６４】
なお、本発明は、移動局が初期レンジング遂行のための連係手続き遂行時に、サービング基地局と周辺基地局がメッセージを受ける時に発生する遅延を適切に補償できるため、資源割り当てを通じた連係遂行を向上させることができる。
【００６５】
また、周辺基地局は、許諾された連係遂行期間の終結地点として前記移動局の連係遂行のための資源割り当て期間の最大値を定めることができる。これは、サービング基地局が周辺基地局に、移動局が許諾した前記連係遂行期間を通知することによるためである。これによって、連係期間後の不必要な資源の予約による無駄使いを防止することができる。
【００６６】
本発明の思想や領域を逸脱しない範囲内で本発明を様々に変形や変化できるということは、当業者にとって自明である。したがって、本発明は、添付の特許請求の範囲とその均等の範囲で提供された本発明の変形及び変化を含む。
【図面の簡単な説明】
【００６７】
【図１】従来技術による連係手続きを示す図である。
【図２】本発明の一実施形態による連係手続きを示す図である。
【図３】本発明の他の実施形態による連係手続きを示す図である。
【図４】本発明のさらに他の実施形態による連係手続きを示す流れ図である。
【図１】
2008508830.tif 000008
【図２】
2008508830.tif 000009
【図３】
2008508830.tif 000010
【図４】
2008508830.tif 000011
【国際調査報告】
2008508830.tif 000012
2008508830.tif 000013
2008508830.tif 000014